(57)【要約】      （修正有）【課題】扉を開閉するためのハンドルと、錠の鍵とを兼ねたハンドルを錠から取り外すことができるようにする。【解決手段】ケース１１の前面部３１には鍵穴３２が形成され、ローター１２には鍵穴を通ったハンドル２の突出部２３ａ，２３ｂが進入する前方凹部４２が形成される。前方凹部４２は、ハンドルが錠を施錠する方向へ回転したときにハンドルの突出部が旋回して圧接する第１周壁部７１ａ，７１ｂと、ハンドルが錠を解錠する方向へ回転したときにハンドルの突出部が圧接する第２周壁部７２ａ，７２ｂとを有する。錠が解錠状態にあるときの第１周壁部と第２周壁部との間の開角は、前方凹部４２に進入したハンドルの突出部を第２周壁部に接触するまで旋回させると、ハンドルの突出部の突出する方向における長さの少なくとも１／２を前面部の背後に隠すことができる大きさに形成される。【選択図】図３
2008127918.tif 000002
【特許請求の範囲】
【請求項１】
扉の外側から内側に向かって延びる円筒状部を有し前記扉に固定されるケースと、前記円筒状部の内側にその周方向へ回転可能に嵌合している円筒状のローターと、前記ローターの内側にその周方向と軸方向とに摺動可能に嵌合しており前記扉の外側から内側に向かう方向において前記ローターから延出する部分を有するシャフトとを備え、前記延出する部分には前記扉を固定枠に対して施錠するための爪金具を取り付け可能であり、前記ローターから前記扉の外側へ延びるハンドルを前記ケースの前記周方向へ回転させると前記ローターとともに前記シャフトと前記爪金具とが所要角度回転した後、前記ローターに設けられたカムの作用で前記シャフトと前記爪金具とが前記ローターの軸方向において前記扉の内側から外側へ向かう方向へ移動する錠において、
前記ローターと前記ハンドルとが別体のものであり、
前記ハンドルは、前記ローターの軸方向へ延びる軸部と、前記軸部における両端部分の一方において前記軸部の径方向の両側および片側のいずれかから前記径方向の外側に向かって突出する突出部と、前記両端部分のもう一方に形成された握持部とを有し、
前記ローターは、前記ハンドルの前記突出部とその近傍の前記軸部とを前記扉の外側から進入・退却させることが可能な前方凹部を有し、前記前方凹部は、進入した前記ハンドルの前記突出部が前記軸部を中心に旋回可能に形成されていて、前記ローターの軸方向に平行な周壁を有し、前記周壁には前記ハンドルが前記錠を施錠する方向へ回転したときに前記突出部が旋回してその旋回方向から圧接する第１周壁部と、前記ハンドルが前記錠を解錠する方向へ回転したときに前記突出部が旋回してその旋回方向から圧接する第２周壁部とが形成されており、
前記ケースには、前記ローターの前記前方凹部の一部分を前記扉の外側から覆うとともに、前記ハンドルの前記突出部を含む前記両端部分の一方を前記扉の外側から前記前方凹部へ導くことが可能な鍵穴を有する前面部が形成されていて、前記前面部における前記鍵穴の形状が、前記ハンドルにおける前記突出部を含む前記両端部分の一方の形状と相似に形成されており、
前記前方凹部における前記第１周壁部と前記第２周壁部との間の開角が、前記錠の解錠状態において前記前方凹部に進入した前記ハンドルの前記突出部を前記第２周壁部に接触するまで旋回させると、前記突出部の突出する方向における長さの少なくとも１／２を前記ケースにおける前記前面部の背後に隠すことができる大きさに形成されていることを特徴とする前記錠。
【発明の詳細な説明】
【技術分野】
【０００１】
この発明は、扉を開閉するために使用するハンドルが扉に取り付けられている錠の鍵をも兼ねている錠に関する。
【背景技術】
【０００２】
従来、扉を開閉するために使用するハンドルが扉に取り付けられた錠と一体的に形成されている錠は公知であり、その一つとして、例えば特開２００４−９２２８３号公報（特許文献１）に開示の施錠装置がある。この施錠装置は、扉に取り付けられる円筒状のハウジング部と、ハウジング部の内側でその周方向へ回転するカム筒部と、カム筒部の内側にその周方向と軸方向とに摺動可能な主軸とを有するもので、カム筒部にはこれを回転させるためのハンドルが一体的に形成されている。そのハンドルは、ハウジング部から扉の外側にまで延びていて、扉を開閉するためのハンドルを兼ねている。扉の内側に向かって延びる主軸の端部には、爪金具が取り付けられている。扉の外側でハンドルを往復回転運動させると、扉の内側では扉が取り付けられている固定枠に対して爪金具が施錠状態と解錠状態とを反復する。また、この施錠装置では、カム筒部にカムが形成されており、ハンドルによってカム筒部を往復回転運動させると、施錠状態にある爪金具は固定枠の内面に対しての接近と離間とを反復する。その接近において爪金具が固定枠の内面に強く密着するように扉に対する錠の取り付け状態を調整しておけば、扉を固定枠の外面に対して密着させることが容易になる。
【特許文献１】特開２００４−９２２８３号公報
【発明の開示】
【発明が解決しようとする課題】
【０００３】
前記公知の施錠装置では、扉が施錠状態や解錠状態にあるときに、扉の外側にまで延びたハンドルが邪魔になるという場合がある。
そこで、この発明は、前記公知の装置において、ハンドルをローターから取り外すことができるように改良を施すことを課題にしている。
【課題を解決するための手段】
【０００４】
前記課題を解決するために、この発明が対象とするのは、扉の外側から内側に向かって延びる円筒状部を有し前記扉に固定されるケースと、前記円筒状部の内側にその周方向へ回転可能に嵌合している円筒状のローターと、前記ローターの内側にその周方向と軸方向とに摺動可能に嵌合しており前記扉の外側から内側に向かう方向において前記ローターから延出する部分を有するシャフトとを備え、前記延出する部分には前記扉を固定枠に対して施錠するための爪金具を取り付け可能であり、前記ローターから前記扉の外側へ延びるハンドルを前記ケースの前記周方向へ回転させると前記ローターとともに前記シャフトと前記爪金具とが所要角度回転した後、前記ローターに設けられたカムの作用で前記シャフトと前記爪金具とが前記ローターの軸方向において前記扉の内側から外側へ向かう方向へ移動する錠である。
【０００５】
かかるハンドル付きの錠において、この発明が特徴とするところは、以下のとおりである。前記ローターと前記ハンドルとは、別体に形成される。前記ハンドルは、前記ローターの軸方向へ延びる軸部と、前記軸部における両端部分の一方において前記軸部の径方向の両側および片側のいずれかから前記径方向の外側に向かって突出する突出部と、前記両端部分のもう一方に形成された握持部とを有する。前記ローターは、前記ハンドルの前記突出部とその近傍の前記軸部とを前記扉の外側から進入・退却させることが可能な前方凹部を有する。前記前方凹部は、進入した前記ハンドルの前記突出部が前記軸部を中心に旋回可能に形成されていて、前記ローターの軸方向に平行な周壁を有する。前記周壁には、前記ハンドルが前記錠を施錠する方向へ回転したときに前記突出部が旋回してその旋回方向から圧接する第１周壁部と、前記ハンドルが前記錠を解錠する方向へ回転したときに前記突出部が旋回してその旋回方向から圧接する第２周壁部とが形成されている。前記ケースには、前記ローターの前記前方凹部の一部分を前記扉の外側から覆うとともに、前記ハンドルの前記突出部を含む前記両端部分の一方を前記扉の外側から前記前方凹部へ導くことが可能な鍵穴を有する前面部が形成されている。前記前面部における前記鍵穴の形状は、前記ハンドルにおける前記突出部を含む前記両端部分の一方の形状と相似に形成されている。前記前方凹部における前記第１周壁部と前記第２周壁部との開角は、前記錠の解錠状態において前記前方凹部に進入した前記ハンドルの前記突出部を前記第２周壁部に接触するまで旋回させると、前記突出部の突出する方向における長さの少なくとも１／２を前記ケースにおける前記前面部の背後に隠すことができる大きさに形成されている。
【発明の効果】
【０００６】
この発明に係る錠は、ローターとハンドルとが別体であって、錠が施錠状態と解錠状態とにあるときに、ハンドルを鍵穴から抜き取ることができるので、これら両状態においては、ハンドルがローターから扉の外側にまで延びていて邪魔になる、ということがない。そのハンドルは、錠が解錠状態にあるときにハンドルの突出部を鍵穴に通してローターにおける前方凹部へ進入させ、さらに第２周壁部に接触するまで旋回させると、その突出部がケースにおける前面部の背後に隠れるから、そこでハンドルを扉の外側に向かって引っ張れば、ハンドルの突出部が前面部をその背後から押すので扉を開けることができる。
【発明を実施するための最良の形態】
【０００７】
この発明に係る錠の詳細を添付の図面を参照して説明すると、以下のとおりである。
【０００８】
図１は、解錠状態にある錠の部分破断側面図である。錠は、錠本体１とハンドル２とを含み、ハンドル２は錠本体１の鍵として使用されるとともに扉３を開閉するためのものとしても使用される。図にはまた、その錠本体１が取り付けられている扉３が示されているとともに、扉３が開閉可能に取り付けられている固定枠４の外面４ａと内面４ｂとが仮想線で部分的に示されている。扉３は、固定枠４の外面４ａに当接して閉じた状態にある。錠本体１は、ナット６とリングワッシャ７とパッキング８とを使用して扉３に固定されるケース１１と、ケース１１に納まるシャフト１３と、シャフト１３に取り付けられたストッパー用カムフォロア１４とを含み、ストッパー用カムフォロア１４の後方（図の右方）では、爪金具１９がねじ１６とワッシャ１７，１８とを介してシャフト１３に固定されている。ケース１１の前面部３１は、扉３の外側にあって、ハンドル２の先端部分２２を進入・退出させることが可能な鍵穴３２を有する。そのハンドル２は、円柱状の軸部２１と、軸部２１の両端部分のうちの一方である先端部分２２における径方向の両側で径方向の外側に向かって延びる一対の突出部２３ａ，２３ｂと、軸部２１の両端部分のもう一方に形成されている握持部２４とを有する。図示の錠本体１において、ハンドル２の先端部分２２、即ち突出部２３ａ，２３ｂとその近傍の軸部２１とをケース１１の鍵穴３２に進入させて、ハンドル２を時計方向Ａ（図３参照）へ９０°回転させると、ストッパー用カムフォロア１４と爪金具１９とが時計方向Ａへ９０°回転する。ハンドル２を時計方向Ａへさらに９０°回転させると、ストッパー用カムフォロア１４と爪金具１９とが扉３の内側から外側へ向かう方向へ水平移動して爪金具１９が仮想線の状態となり、固定枠４の内面４ｂに圧接して、扉３を固定枠４の外面４ａに対して密着させることができる。密着している扉３と外面４ａとの間には、例えば扉３の僅かな動きや水や空気の通過を許すような隙間が生じない。
【０００９】
図２は、図１における錠本体１の断面図である。ケース１１は、前面部３１に鍵穴３２が形成されており、その前面部３１からは扉３の内側に向かって円筒状部３３が延びている。円筒状部３３の外周面は、ナット６が螺合可能に形成されている。円筒状部３３の内側には、ローター１２が嵌合している。
【００１０】
ローター１２は、円筒状部３３の内周面３４に対してＯ−リング３６を介して周方向へ摺動可能に接触している。ローター１２の後方（図の右方）にはストッパー用リング３７があって、ローター１２の軸方向への動きを抑え、ケース１１からのローター１２の脱落を防止している。かようなローター１２は、扉３の外側から内側へ向かう方向に開放している後方凹部４１と、扉３の外側に向かって開放している前方凹部４２とを有している。後方凹部４１は、径方向における断面形状が円形で、そこにはコイルばね４３が納まり、シャフト１３の前端部５１が嵌合している。コイルばね４３は、それにシャフト１３が圧接しており、蓄勢状態にある。シャフト１３は、円柱状のもので、その周方向と軸方向とにおいて、後方凹部４１の周面４４に対して摺動可能な状態にある。また、後方凹部４１の周壁４６には、径方向において対向する部位にカム孔４７ａと４７ｂとが形成されている（図３参照）。後方凹部４１に嵌合しているシャフト１３の前端部５１には、径方向に延びる貫通孔５２が形成されていて、その貫通孔５２に挿入されたカムフォロア用のピン５３の両端部５３ａ，５３ｂがカム孔４７ａ，４７ｂに進入している。ローター１２における前方凹部４２は、後記の図３，４，５において詳述するように、ハンドル２の突出部２３ａ，２３ｂが鍵穴３２を通って進入できるように形成されていることに加え、ローター１２の回転軸上に突起部４８が形成さている。突起部４８は、ハンドル２が鍵穴３２へ挿入されるときに、ハンドル２における先端部分２２の凹部２６（図１参照）へ進入して、ハンドル２を鍵穴３２の適正な位置に導くことができる。
【００１１】
図２におけるシャフト１３は、後端部分５４がケース１１よりも後方へ（図の右方へ）延びており、その後端部分５４には、ストッパー用カムフォロア１４と爪金具１９とがシャフト１３とともに回転できるように取り付けられている。
【００１２】
図３は、図１，２に示された解錠状態にある錠本体１の分解斜視図であるが、ローター１２とシャフト１３とは組み付けられた状態にある。また、この図にはハンドル２と爪金具１９とが併せて示されている。ケース１１は、その前面部３１に形成された鍵穴３２の輪郭がハンドル２の先端部分２２の輪郭と相似形に作られている。ケース１１における円筒状部３３の後端にはシャフト１３の動きを規制するためのカム３５ａ，３５ｂが形成されている。カム３５ａには、それに従って動くストッパー用カムフォロア１４の一部が仮想線で示されている。
【００１３】
図３におけるローター１２の前端部分（図の上方部分）には、ハンドル２の先端部分２２を進入させる前方凹部４２と突起部４８とが形成されている。前方凹部４２は、ローター１２の回転軸（図示せず）に平行な周壁７１を有し、その周壁７１には、ハンドル２が突起部４８を中心にして時計方向Ａへ回転するときにハンドル２の一対の突出部２３ａ，２３ｂが時計方向Ａから圧接する一対の第１周壁部７１ａ，７１ｂと、ハンドル２が反時計方向Ｂへ回転するときに反時計方向Ｂから圧接する一対の第２周壁部７２ａ，７２ｂとが含まれている。ローター１２の周壁部４６に形成されている一対のカム孔４７ａと４７ｂとは、ローター１２の回転軸に関して対称に形成されているもので、図３には、そのうちの一方のカム孔４７ａのみが現れている。カム孔４７ａは、第１斜面７３と第２斜面７４とを含むもので、第１斜面７３は反時計方向Ｂへの上り勾配を有する一方、第２斜面７４は反時計方向Ｂへの下り勾配を有する。第１斜面７３は、第２斜面７４と同じ傾斜角度を有しているが、斜面の長さが第２斜面のそれよりも長く作られている。これら第１、第２斜面７３，７４を含むカム孔４７ａからのぞくカムフォロア用ピン５３の一端部５３ａは、これら第１、第２斜面７３，７４に対して摺動可能であり、図３ではスプリング４３（図２参照）によって付勢されて第１斜面７３に圧接している。
【００１４】
図３において、ローター１２から図の下方へ延出しているシャフト１３の後端部分５４はほぼ正方形の断面形状を有する。この後端部分５４に取り付けられるストッパー用カムフォロア１４と爪金具１９とには、後端部分５４との嵌合を可能にする正方形の透孔７６，７７が形成されている。ストッパー用カムフォロア１４の外周面には、径方向において互いに反対側へ延びる一対の突起７８ａ，７８ｂが形成されている。
【００１５】
図３の如くシャフト１３が組み付けられているローター１２は、図の下方からケース１１へ挿入される。挿入後には、ストッパー用リング３６がケース１１の内周面にセットされる。さらにその後に、シャフト１３にストッパー用カムフォロア１４と爪金具１９とが取り付けられる。
【００１６】
図４は、図２におけるＩＶ−ＩＶ線矢視図であるが、図にはケース１１のカム３５のみが実線で示され、シャフト１３とストッパー用カムフォロア１４における一対の突起部７８ａ，７８ｂとが仮想線で示されている。また、図３における時計方向Ａが図４では仮想線Ａとなって現れている。カム３５は、ケース１１における円筒状部３３の軸Ｐに関して対称に作られているもので、図３，４を併せて参照すると明らかなように、互いに平行な第１ストッパー面９１ａ，９１ｂと、第１ストッパー面９１ａ，９１ｂに直交する平滑な平面９３a，９３ｂと、平面９３ａ，９３ｂに直交し互いに平行な第２ストッパー面９２ａ，９２ｂと、ケース１１の前面部３１に向かって深くなる谷部９４ａ，９４ｂとを有している。第１ストッパー面９１ａ，９１ｂと第２ストッパー面９２ａ，９２ｂとは、平面９３ａ、９３ｂに直交するものであることに加え、互いに直交するものでもある。錠本体１が解錠状態にあるときのストッパー用カムフォロア１４の突起部７８ａ，７８ｂのそれぞれは、第１ストッパー面９１ａ，９１ｂのそれぞれに反時計方向Ｂから当接している。
【００１７】
扉３を閉じて錠を施錠状態にするには、次の手順による。先端部分２２がローター１２の前方凹部４２に進入しているハンドル２を時計方向Ａへ９０°回転させると、ローター１２とシャフト１３とが時計方向Ａへ回転するとともに、ストッパー用カムフォロア１４も時計方向Ａへ９０°回転して、突起部７８ａ，７８ｂが平面９３ａ，９３ｂと平行な状態で旋回して時計方向Ａから第２ストッパー面９２ａ，９２ｂに当接し、シャフト１３の回転が停止する。シャフト１３が回転するときには、図の上方へ延びて解錠状態にある爪金具１９が図の横方向へ延びて施錠状態にある爪金具１９へと変化する。さらにハンドル２を時計方向Ａへ９０°回転させると、ローター１２のみが時計方向Ａへ回転する。図３から明らかなように、そのときにはローター１２におけるカム孔４７ａも時計方向Ａへ移動するから、カム孔４７ａの第１斜面７３がカムフォロア用のピン５３の端部５３ａをケース１１の前面部３１に向かうように、即ち図３の上方（図２における左方）へ移動させる。図示されてはいないが、カム孔４７ｂの第１斜面は、カム孔４７ａの第１斜面７３と同様に、ピン５３の端部５３ｂを図３の上方へ移動させる。ピン５３の両端部５３ａ，５３ｂがそのように移動する結果として、シャフト１３がピン５３によって押圧され、ばね４３を圧縮しながら図３の上方（図２の左方）へ移動する。この間において、シャフト１３と一体のストッパー用カムフォロア１４は、シャフト１３のそのような移動を妨げることがないように、その突起部７８ａ，７８ｂがケース１１のカム３５における谷部９４ａ，９４ｂへ進入する。また、シャフト１３と一体の爪金具１９は、固定枠４の内面４ｂに接近する。なお、シャフト１３の回転が停止してローター１２のみが時計方向Ａへ９０°回転するときに、第１斜面７３がピン５３の端部５３ａを通過すると、換言すれば、端部５３ａが第１斜面７３を上り終えると、その端部５３ａは第２斜面７４を下る。第１斜面７３の長さは爪金具１９を固定枠４に圧接させるに足りるだけの長さに形成されているが、第２斜面７４の長さは第１斜面７３の長さに比べて極めて短く、たとえば端部５３ａの直径程度に作られている。かような第２斜面７４は、合計で１８０°回転したハンドル２から手を離したときに、付勢状態にあるばね４３の作用によって端部５３ａが自動的に第１斜面７３を下り、固定枠４の外面４ａに密着させたはずの扉３がその前面４ａから離間して、これら両者３，４ａの間に隙間が生じるということを防いでいる。
【００１８】
錠本体１を解錠するときには、次の手順による。ハンドル２を反時計方向Ｂへ９０°回転させてローター１２を回転させ、第２斜面７４にあるカムフォロア用ピン５３の端部５３ａを第１斜面７３に移して図２の状態に戻す。すると、爪金具１９が固定枠の内面４ｂから離間する。ハンドル２を反時計方向Ｂへさらに９０°回転させると、ローター１２とシャフト１３とが一体となって反時計方向Ｂへ回転し、ストッパー用カムフォロア１４の突起部７８ａ，７８ｂがカム３５ａと３５ｂとからなるカム３５における第１ストッパー面８１ａ，８１ｂに当接して錠本体１が解錠状態になる。
【００１９】
図５，６は、鍵穴３２が形成されているケース１１の前面部３１の正面図と、ローター１２における前方凹部４２の正面図とであって、図５には、錠本体１が解錠状態にあるときの凹部４２と、その凹部４２へ進入したハンドル２の突出部２３ａ，２３ｂと、解錠状態にあるときの爪金具１９と、施錠状態にあるときの爪金具１９とのそれぞれが仮想線で示されており、図６にはハンドル２の突出部２３ａ，２３ｂが仮想線で示されている。なお、図５における突出部２３ａ，２３ｂは、図６の突出部２３Ａ，２３ｂが反時計方向Ｂへ旋回したときの状態にある。図５に示されているように、鍵穴３２の縁部は、図の上下方向において対向する円弧状の第１、第２縁部８１，８２と、図の左右方向において対向する円弧状の第３、第４縁部８３，８４と、第３、第４縁部８３，８４の上方における左右方向で対向する互いに平行な第５、第６縁部８５，８６と、第３、第４縁部８３，８４の下方における左右方向で対向する互いに平行な第７、第８縁部８７，８８とを含んでいる。図５において解錠状態にあるときのローター１２の前方凹部４２では、前方凹部４２における第１周壁部７１ａ，７１ｂのうちの一方の周壁部７１ａが鍵穴３２の第８縁部８８と重なり合う位置にあり、第１周壁部７１ａ，７１ｂのうちのもう一方の周壁部７１ｂが鍵穴３２の第５周壁部８５と重なり合う位置にある。また、前方凹部４２における一対の第２周壁部７２ａ，７２ｂは、ケース１１における前面部３１の背後に隠れている。ローター１２が図５の状態にあるときに扉３を開けるには、ハンドル２の先端部分２２を鍵穴３２に通してローター１２の前方凹部４２へ進入させる。次に、先端部分２２における突出部２３ａ，２３ｂのそれぞれが前方凹部４２における第２周壁部７２ａ，７２ｂのそれぞれに接触するところまでハンドル２を反時計方向Ｂへ回転させる。錠本体１では、ローター１２の第１周壁部７１ａ，７１ｂのそれぞれが鍵穴３２の第５、第８周壁部８５，８８のいずれかと重なり合っているときに、第１周壁部７１ａ，７１ｂと、第２周壁部７２ａ，７２ｂとの間には次のような関係がある。即ち、第２周壁部７２ａ，７２ｂのそれぞれに接触しているハンドル２の突出部２３ａ，２３ｂは、それぞれがケース１１の前面部３１の背後に来るように、好ましくは突出する方向における長さの１／２以上がその背後に来るように、さらに好ましくは突出する方向の長さの全体がその背後に来るように、突起部４８を中心に旋回する突出部２３ａ，２３ｂに対しての第１周壁部７１ａと第２周壁部７２ｂとの間の開角α、および第１周壁部７１ｂと第２周壁部７２ａとの間の開角βが調整されている。ただし、開角αと開角βとの大きさは同じである。それゆえ、図示の如く反時計方向Ｂへ回転させたハンドル２を扉３の外側に向かって引っ張るようにすると、扉３が開く。そのハンドル２は、ローター１２の第１周壁部７１ａ，７１ｂに当接するところまで時計方向Ａへ回転させれば鍵穴３２から抜き取ることができる。
【００２０】
図５，６において扉３を施錠状態にするには、次の手順による。まず、爪金具１９が解錠状態にあるときに扉３を閉める。次に、図５における鍵穴３２にハンドル２を挿入して時計方向Ａへ９０°回転させる。すると、図５において上向きの爪金具１９が時計方向Ａへ９０°旋回して横向きとなり、固定枠４の背後に来る。ハンドル２をさらに９０°回転させると、ローター１２が回転する一方、シャフト１３とシャフト１３に取り付けられた爪金具１９とが扉３の内側から外側へ向かう方向に移動して、爪金具１９が固定枠４の内面４ｂに圧接し、扉３が固定枠４の外面４ａに密着して施錠操作が終了する。この状態にある爪金具１９は、図２に仮想線で示されている。錠本体１が施錠状態にあるときの鍵穴３２とローター１２の前方凹部４２との位置関係は、図５におけるそれと同じであって、ハンドル２の突出部２３ａ，２３ｂが鍵穴３２からのぞいているから、ハンドル２は施錠操作終了後にすぐに鍵穴３２から抜き取ることができる。なお、錠本体１が施錠状態にあるときのローター１２は、反時計方向Ｂにのみ回転可能である。
【００２１】
次に、図５，６の状態に基づいて施錠した扉３を解錠状態にするには、次の手順による。まず、ハンドル２の先端部分２２を鍵穴３２に通し、突出部２３ａ，２３ｂがローター１２の前方凹部４２における第２周壁部７２ａ，７２ｂに接触するまでハンドル２を反時計方向Ｂへ回転させる。ここからハンドル２を９０°回転させて第２周壁部７２ａ，７２ｂを押圧してローター１２を回転させる。ローター１２のその回転によって、シャフト１３と爪金具１９とを固定枠４の内面４ｂから離間する方向へ移動させる。ハンドル２をさらに９０°回転させて、爪金具１９を解錠状態の位置に戻す。そのときのハンドル２は、突出部２３ａ，２３ｂが図５の状態にあってケース１１における前面部３１の背後に隠れているから、扉３を開けるときには、そのハンドル２を扉３の外側に向かって引っ張ればよい。また、ハンドル２を錠本体１から外したいときには、突出部２３ａ，２３ｂが鍵穴３２からのぞくようにハンドル２を時計方向Ａに回転させる。
【００２２】
これらの操作において明らかなように、ハンドル２を使って扉３を開けるときには、ローター１２の前方凹部４２へ進入させたハンドル２の突出部２３ａ，２３ｂを前方凹部４２の第２周壁部７２ａ，７２ｂに接触するまでハンドル２を回転させる。第２周壁部７２ａ，７２ｂは、ケース１１の前面部３１の背後にあり、その第２周壁部７２ａ，７２ｂに接触する突出部２３ａ，２３ｂは、前面部３１の背後に隠れる（図５参照）。そのハンドル２を引っ張ると、突出部２３ａ，２３ｂは前面部３１の内側と向かい合う面積のほぼ全体で前面部３１の内面を押圧することになる。特に突出部２３ａ，２３ｂについて、その長さの少なくとも１／２が前面部３１に隠れているようにすると、ハンドル２を引っ張る力が突出部２３ａ，２３ｂの極く一部分に集中することや前面部３１の内面における狭い面積に集中することを防ぐことができる。それゆえ、ケース１１とハンドル２とは、扉３を開けるときの力が局部に集中して損傷し易くなるという問題の発生を防ぐことができる。また、図５から理解できるように、施錠状態にある錠本体１においては、錠本体１を解錠させるために押圧すべき前方凹部４２の第２周壁部７２ａ，７２ｂが反時計方向Ｂにおいて鍵穴３２の第６、第７縁部８６，８７から遠く離れていて、ケース１１における前面部３１の背後に隠れているから、鍵穴３２から第２周壁部７２ａ，７２ｂを不正に操作してローター１２を反時計方向Ｂへ動かすことが難しい。施錠状態にある錠本体１において、第２周壁部７２ａ，７２ｂが鍵穴３２の近傍に位置している場合には、その第２周壁部７２ａ，７２ｂを反時計方向Ｂへ押圧することが容易であって、不正な操作等によって第２周壁部７２ａ，７２ｂが反時計方向Ｂへ不用意に動けば、爪金具１９が固定枠４の内面４ｂから離間して、固定枠４の外面４ａと扉３との間に本来はあってはならぬ隙間が生じかねない。
【００２３】
図示例のハンドル２は、先端部分２２の径方向両側に突出部２３ａ，２３ｂを有するものであったが、径方向の片側にのみ突出部を有するハンドル２によってこの発明を実施することも可能である。
【産業上の利用可能性】
【００２４】
この発明によれば、扉を開閉するためのハンドルと、錠本体を施錠・解錠するための鍵とをかねたハンドルが着脱可能である錠の製造が可能になる。
【図面の簡単な説明】
【００２５】
【図１】錠の部分破断側面図。
【図２】錠の断面図。
【図３】錠の分解斜視図。
【図４】ケースのカムを示す図。
【図５】ケースの前面部を示す図。
【図６】ローターの前方凹部を示す図。
【符号の説明】
【００２６】
１    錠本体
２    ハンドル
３    扉
４    固定枠
１１    ケース
１２    ローター
１３    シャフト
１９    爪金具
２１    軸部
２３ａ，２３ｂ    突出部
２４    握持部
３１    前面部
３２    鍵穴
３３    円筒状部
４２    前方凹部
４７ａ，４７ｂ    カム
７１    周壁
７１ａ，７１ｂ    第１周壁部
７２ａ，７２ｂ    第２周壁部
【図１】
2008127918.tif 000003
【図２】
2008127918.tif 000004
【図３】
2008127918.tif 000005
【図４】
2008127918.tif 000006
【図５】
2008127918.tif 000007
【図６】
2008127918.tif 000008